【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
第１の配線板に半田付けされた複数の第１のリード端子を有する第１のコネクタボディと、
第２の配線板に半田付けされた複数の第２のリード端子を有するとともに、上記第２の配線板の上面に実装された第２のコネクタボディと、
上記第２の配線板の下面に半田付けされた締結部材と、
上記締結部材にねじ込まれるねじ部材と、を具備し、
上記第１のコネクタボディと上記第２のコネクタボディとは、上記第１のリード端子と上記第２のリード端子とを接触させるように互いに嵌合されて、これら第１および第２のリード端子を介して上記第１の配線板と上記第２の配線板との間を電気的に接続し、
上記第１および第２の配線板と上記第１および第２のコネクタボディとは、上記ねじ部材を上記締結部材にねじ込むことで、互いに一体的に固定されることを特徴とするコネクタ装置。
【請求項２】
請求項１の記載において、上記第１のコネクタボディと上記第２のコネクタボディが互いに嵌合された状態では、上記ねじ部材は、上記第１および第２の配線板と第１および第２のコネクタボディのうちの少なくとも一つを連続して貫通し、
上記ねじ部材は、上記締結部材にねじ込み可能な貫通端を有することを特徴とするコネクタ装置。
【請求項３】
請求項１の記載において、上記締結部材は、上記ねじ部材がねじ込まれるねじ孔を有することを特徴とするコネクタ装置。
【請求項４】
請求項１の記載において、上記第１のコネクタボディは、上記第２のコネクタボディに向けて突出するガイドパイプを有し、このガイドパイプは上記第２のコネクタボディを貫通するとともに、上記ねじ部材は上記ガイドパイプを貫通して上記締結部材にねじ込まれていることを特徴とするコネクタ装置。
【請求項５】
請求項１の記載において、上記締結部材は、上記第１の配線板又は上記第２の配線板と上記第１および第２のコネクタボディを連続して貫通するパイプ状のガイド部を有し、上記ねじ部材は上記ガイド部を貫通して上記締結部材にねじ込まれていることを特徴とするコネクタ装置。
【請求項６】
請求項１の記載において、上記第１のリード端子は、上記第１の配線板に半田付けされた第１の部分と、上記第１のコネクタボディと上記第２のコネクタボディとの嵌合部分に露出された第２の部分とを有し、
上記第２のリード端子は、上記第２の配線板に半田付けされた第１の部分と、上記第１のコネクタボディと上記第２のコネクタボディとの嵌合部分に露出された第２の部分とを有し、
上記第１のコネクタボディと上記第２のコネクタボディとを互いに嵌合させた時に、上記第１のリード端子の第２の部分と上記第２のリード端子の第２の部分とが互いに接触することを特徴とするコネクタ装置。
【請求項７】
請求項１の記載において、上記第１のコネクタボディは、上記第１のリード端子を支持する端子支持部と、上記ねじ部材が貫通するねじ受け部とを有し、
上記第２のコネクタボディは、上記第２のリード端子を支持する端子支持部と、上記ねじ部材が貫通するねじ受け部とを有し、
上記第１のコネクタボディのねじ受け部と上記第２のコネクタボディのねじ受け部とは、上記端子支持部を外れた位置で互いに向かい合うことを特徴とするコネクタ装置。
【請求項８】
請求項７の記載において、上記締結部材は、上記第１の配線板又は上記第２の配線板に保持されていることを特徴とするコネクタ装置。
【請求項９】
請求項１の記載において、上記第１のコネクタボディ又は上記第２のコネクタボディは、上記第１の配線板と上記第２の配線板との間の間隔を規定するスペーサ部を有し、
上記ねじ部材は、上記第１の配線板、上記第２の配線板および上記スペーサ部を連続して貫通することを特徴とするコネクタ装置。
【請求項１０】
請求項９の記載において、上記締結部材は、ねじ部材がねじ込まれる雌ねじ部を有するとともに上記第１の配線板又は上記第２の配線板に固定されていることを特徴とするコネクタ装置。
【請求項１１】
第１の配線板に半田付けされた複数の第１のリード端子を有するとともに、上記第１の配線板の下面に実装された第１のコネクタボディと、
第２の配線板に半田付けされた複数の第２のリード端子を有するとともに、上記第２の配線板の上面に実装された第２のコネクタボディと、
上記第１の配線板および上記第１のコネクタボディを貫通して上記第２のコネクタボディにねじ込まれる第１のねじ部材と、
上記第２の配線板を貫通して上記第２のコネクタボディにねじ込まれる第２のねじ部材と、を具備し、
上記第１のコネクタボディと上記第２のコネクタボディとは、上記第１のリード端子と上記第２のリード端子とを接触させるように互いに嵌合されて、これら第１および第２のリード端子を介して上記第１の配線板と上記第２の配線板との間を電気的に接続し、
上記第１および第２の配線板と上記第１および第２のコネクタボディとは、上記第１のねじ部材および上記第２のねじ部材を介して互いに一体的に固定されることを特徴とするコネクタ装置。
【請求項１２】
請求項１１の記載において、上記第１のコネクタボディは、上記第１のリード端子を支持する端子支持部と、上記第１のねじ部材が貫通するねじ受け部とを有し、
上記第２のコネクタボディは、上記第２のリード端子を支持する端子支持部と、上記第１および第２のねじ部材がねじ込まれるねじ受け部とを有し、
上記第１のコネクタボディのねじ受け部と上記第２のコネクタボディのねじ受け部とは、上記端子支持部を外れた位置で互いに向かい合うことを特徴とするコネクタ装置。
【請求項１３】
請求項１１の記載において、上記第１のリード端子は、上記第１の配線板に半田付けされた第１の部分と、上記第１のコネクタボディと上記第２のコネクタボディとの嵌合部分に露出された第２の部分とを有し、
上記第２のリード端子は、上記第２の配線板に半田付けされた第１の部分と、上記第１のコネクタボディと上記第２のコネクタボディとの嵌合部分に露出された第２の部分とを有し、
上記第１のコネクタボディと上記第２のコネクタボディとを互いに嵌合させた時に、上記第１のリード端子の第２の部分と上記第２のリード端子の第２の部分とが互いに接触することを特徴とするコネクタ装置。
【請求項１４】
筐体と、
上記筐体に収容され、上面および下面を有する第１の配線板と、
上記第１の配線板と向かい合うように上記筐体に収容され、上面および下面を有する第２の配線板と、
上記第１の配線板と上記第２の配線板との間に介在されたコネクタ装置と、を具備し、
上記コネクタ装置は、
上記第１の配線板に半田付けされた複数の第１のリード端子を有するとともに、上記第１の配線板の下面に実装された第１のコネクタボディと、
上記第２の配線板に半田付けされた複数の第２のリード端子を有するとともに、上記第２の配線板の上面に実装された第２のコネクタディと、
上記第２の配線板の下面に半田付けされた締結部材と、
上記締結部材にねじ込まれるねじ部材と、を備え、
上記第１のコネクタボディと上記第２のコネクタボディとは、上記第１のリード端子と上記第２のリード端子とを接触させるように互いに嵌合されて、これら第１および第２のリード端子を介して上記第１の配線板と上記第２の配線板との間を電気的に接続し、
上記第１および第２の配線板と上記第１および第２のコネクタボディとは、上記ねじ部材を上記締結部材にねじ込むことで、互いに一体的に固定されることを特徴とする電子機器。
【請求項１５】
請求項１４の記載において、上記第１のコネクタボディと上記第２のコネクタボディが互いに嵌合された状態では、上記ねじ部材は、上記第１および第２の配線板と第１および第２のコネクタボディのうちの少なくとも一つを連続して貫通し、
上記ねじ部材は、上記締結部材にねじ込み可能な貫通端を有することを特徴とする電子機器。
【請求項１６】
請求項１４の記載において、上記締結部材は、上記筐体から突出するボス部であり、このボス部は上記ねじ部材がねじ込まれるねじ孔を有することを特徴とする電子機器。
【手続補正２】
【補正対象書類名】明細書
【補正対象項目名】発明の名称
【補正方法】変更
【補正の内容】
【発明の名称】コネクタ装置、およびコネクタ装置を有する電子機器
【手続補正３】
【補正対象書類名】明細書
【補正対象項目名】０００１
【補正方法】変更
【補正の内容】
【０００１】
本発明は、互いに向かい合う二枚の配線板の間に介在されて、これら配線板間を電気的に接続するコネクタ装置に関する。さらに、本発明は上記コネクタ装置を有するポータブルコンピュータのような電子機器に関する。
【手続補正４】
【補正対象書類名】明細書
【補正対象項目名】００１３
【補正方法】変更
【補正の内容】
【００１３】
本発明の目的は、第１および第２の配線板に対する第１および第２のコネクタボディの取り付け強度を充分に確保できるとともに、リード端子の接触部分に生じる応力を緩和することができ、電気的接続の信頼性が向上するコネクタ装置を得ることにある。
【手続補正５】
【補正対象書類名】明細書
【補正対象項目名】００１５
【補正方法】変更
【補正の内容】
【００１５】
上記目的を達成するため、本発明の一つの形態に係るコネクタ装置は、
第１の配線板に半田付けされた複数の第１のリード端子を有する第１のコネクタボディと、第２の配線板に半田付けされた複数の第２のリード端子を有するとともに、上記第２の配線板の上面に実装された第２のコネクタボディと、上記第２の配線板の下面に半田付けされた締結部材と、上記締結部材にねじ込まれるねじ部材と、を具備している。
上記第１のコネクタボディと上記第２のコネクタボディとは、上記第１のリード端子と上記第２のリード端子とを接触させるように互いに嵌合されて、これら第１および第２のリード端子を介して上記第１の配線板と上記第２の配線板との間を電気的に接続し、
上記第１および第２の配線板と上記第１および第２のコネクタボディとは、上記ねじ部材を上記締結部材にねじ込むことで、互いに一体的に固定されることを特徴としている。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
上記目的を達成するため、本発明の一つの形態に係る電子機器は、
筐体と、上記筐体に収容され、上面および下面を有する第１の配線板と、上記第１の配線板と向かい合うように上記筐体に収容され、上面および下面を有する第２の配線板と、上記第１の配線板と上記第２の配線板との間に介在されたコネクタ装置と、を具備している。
上記コネクタ装置は、
上記第１の配線板に半田付けされた複数の第１のリード端子を有するとともに、上記第１の配線板の下面に実装された第１のコネクタボディと、
上記第２の配線板に半田付けされた複数の第２のリード端子を有するとともに、上記第２の配線板の上面に実装された第２のコネクタディと、
上記第２の配線板の下面に半田付けされた締結部材と、
上記締結部材にねじ込まれるねじ部材と、を備えており、
上記第１のコネクタボディと上記第２のコネクタボディとは、上記第１のリード端子と上記第２のリード端子とを接触させるように互いに嵌合されて、これら第１および第２のリード端子を介して上記第１の配線板と上記第２の配線板との間を電気的に接続し、上記第１および第２の配線板と上記第１および第２のコネクタボディとは、上記ねじ部材を上記締結部材にねじ込むことで、互いに一体的に固定されることを特徴としている。
【手続補正８】
【補正対象書類名】明細書
【補正対象項目名】０１０３
【補正方法】変更
【補正の内容】
【０１０３】
４…筐体、１１…第１の配線板（第１のプリント配線板）、１１ａ…下面、１２…第２の配線板（第２のプリント配線板）、１２ａ…上面、１２ｂ…下面、１５…コネクタ装置（スタッキングコネクタ）、１６…第１のコネクタボディ、１７…第２のコネクタボディ、２０…第１のリード端子、３２…第２のリード端子、４２，４３…ねじ部材（固定ねじ）、４４，５１，７４，１００…締結部材（ナットプレート、ナット、ボス部）、６５…第１のねじ部材（第１の固定ねじ）、６６…第２のねじ部材（第２の固定ねじ）。